(57)【要約】【課題】携帯通信端末を保持しながら充電可能にするとともに、充電ケーブルの不慮の脱落を未然に防止でき、スピーカー音の拡声にも適した充電スタンドを提供する。【解決手段】充電スタンド１０（１０Ａ）は、第１・第２穴１，２とケーブル導出路３とが設けられた本体４を有する。第１・第２穴１，２は、充電ケーブル３０のコネクタ部３１と該コネクタ部３１より外部へ突出した扁平部３２とを挿通可能となるよう該扁平部３２の外形に対応した内径を有する。第１穴１は本体４の下部４ｂまで垂直に延びる貫通穴である。第２穴２は、第１穴１の軸Ｏを中心に回転し、第１穴１に対して交差するよう設けられた不貫通穴である。第２穴２は、扁平部３２を本体４の上方から第２穴２に挿入した際に扁平部３２の底部３２ｂが第２穴２の底面２ｂに当接し、コネクタ部３１が端末載置用凹部５から垂直上方に延びるように該扁平部３２を保持することを特徴とする。【選択図】図１
0003215184.tif 000002
【実用新案登録請求の範囲】
【請求項１】
第１・第２穴とケーブル導出路とが設けられた本体を有した携帯通信端末用の充電スタンドであって、
第１・第２穴は、充電ケーブルのコネクタ部と該コネクタ部より外部へ突出した扁平部とを通過可能となるよう該扁平部の外形に対応した内径を有し、
第１・第２穴は、前記本体の上部に設けられた端末載置用凹部内から開口し、
第１穴は前記本体の下部まで垂直に延びる貫通穴であり、
前記ケーブル導出路は、前記本体の前記下部において第１穴に接続する第１端と、前記本体の外側壁に設けられた導出口に接続した第２端とを備え、
第２穴は、第１穴の垂直な軸を中心に回転し、前記本体の平面視で第２穴が第１穴に対して交差するよう設けられた不貫通穴であり、かつ、
第２穴は、前記扁平部を前記本体の上方から第２穴に挿入した際に前記扁平部の底部が第２穴の底面に当接し、前記コネクタ部が前記凹部から垂直上方に延びるように該扁平部を保持することを特徴とする充電スタンド。
【請求項２】
第２穴が設けられた上半部と、第１穴とケーブル導出路とが設けられた下半部とを別々に有した本体を備えた携帯通信端末用の充電スタンドであって、
第１・第２穴は、充電ケーブルのコネクタ部と該コネクタ部より外部へ突出した扁平部とを挿通可能となるよう該扁平部の外形に対応した内径を有し、
第２穴は、前記上半部の上部に設けられた端末載置用凹部内から開口し、前記上半部の下部まで垂直に延びる貫通穴であり、
第１穴は、前記下半部の上部から開口し、前記下半部に下部まで垂直に延びる貫通穴であり、
前記ケーブル導出路は、前記下半部の前記下部において第１穴に接続する第１端と、前記下半部の外側壁に設けられた導出口に接続した第２端とを備え、
第１穴が、第２穴の垂直な軸を中心に回転し、前記本体の平面視で第１穴が第２穴に対して交差するよう、前記下半部が前記上半部に対して一時的に回動・保持可能な回動係合部が前記本体に形成されており、かつ、
第２穴は、第１穴が第２穴に交差した状態で前記扁平部を第２穴に挿入した際に前記扁平部の底部が前記下半部の上部に当接し、前記コネクタ部が前記凹部から垂直上方に延びるように該扁平部を保持することを特徴とする充電スタンド。
【請求項３】
前記本体には、前記本体の上部の中央から前記外側壁まで延びて開口した切欠き部を備え、該切欠き部は、前記携帯通信端末が前記凹部に載置されて音楽再生を行った際にスピーカー音の拡声・増強を行うことを特徴とする請求項１又は２に記載の充電スタンド。
【請求項４】
前記切欠き部は、前記凹部の第１端の下側において切欠き開始部を有し、前記垂直な軸を中心に周方向に徐々に切欠き幅を広げながら延び、前記凹部の第２端の下側を通過した後に外側壁にて開口することを特徴とする請求項１〜３のいずれかに記載の充電スタンド。
【請求項５】
前記本体の上部に載置可能な蓋体をさらに備え、かつ、
前記蓋体には、前記凹部の一部を形成する細長貫通穴と、少なくとも１つ以上の拡声口とが設けられていることを特徴とする請求項１〜４のいずれかに記載の充電スタンド。
【考案の詳細な説明】
【技術分野】
【０００１】
本考案は、スマートフォン、タブレットや携帯電話等の携帯通信端末（以下、単に「携帯端末」や「端末」とも呼ぶ。）を立設させながら充電するためのスタンドに関し、詳しくは、市販の充電ケーブルをスタンド内に着脱自在に挿入し、所定位置に保持させることが可能な充電スタンドに関する。
【０００２】
本考案は、好ましくは、端末のスピーカーから発生した音声を増強可能な拡声構造を更に備えた充電スタンドに関する。
【背景技術】
【０００３】
近年、携帯端末の普及が進み、老若男女問わず、これを所持している。端末の操作（通信や出力）には、定期的に電力を充電していく必要がある。端末の充電には、通常、建物の壁に設置されたコンセント（アウトレット）に端末を連結する充電ケーブルを利用する。
【０００４】
そして、充電中は、充電ケーブルが該端末に連結（つまり突出）した状態となるため、通常、該端末を立て掛けておく（立設させておく）ことができず、充電ケーブルとともにテーブル上に無造作に寝かせたままで置かれることになる。つまり、テーブル面の一部を占有し、煩雑な印象を与えるとともに、不慮の外力が加わると、充電ケーブルが端末から抜けてしまうという危険性も高かった。
【０００５】
一方、携帯端末を単に立てて置くことができるスタンド（例えば、特許文献１）は種々提案・販売されているが、充電中も立てて置くことができる代物は、該端末に適合した専用充電台以外に市場に余り出回っていない。
【０００６】
なお、端末を所定の位置に保持しながら充電も可能な充電用スタンドも提案されている（特許文献２〜４）。しかしながら、端末に接続された充電ケーブルの先端部分が、外部に露出した状態で保持されることになるため、端末からの充電ケーブルの不慮の脱落や引抜きが発生するといった懸念や、スタンド外面にケーブル線が露出する煩雑な外観や見苦しさといった問題は解決されないままである。
【０００７】
さらに、携帯端末を使用して音楽を再生する機会も多く、端末の立設保持や充電だけでなく、スピーカー音の拡声にも適したスタンドの要望もあると考えられる。
【先行技術文献】
【特許文献】
【０００８】
【特許文献１】意匠登録第１４７７２０４号公報
【特許文献２】登録実用新案第３１８０１５７号公報
【特許文献３】登録実用新案第３１７６８４０号公報
【特許文献４】登録実用新案第３１８４８６６号公報
【考案の概要】
【考案が解決しようとする課題】
【０００９】
本考案は、従来の実情に鑑みて提案されたものであり、携帯端末を固定（保持）しながら充電可能にするとともに、充電ケーブルの不慮の脱落を未然に防止できる充電スタンドを提供することを目的とする。
【００１０】
また、本考案のもう一つの目的は、端末の立設保持や充電だけでなく、スピーカー音の拡声にも適したスタンドを提供することである。
【課題を解決するための手段】
【００１１】
本考案者は、鋭意検討した末、充電ケーブルの先端部には、通常、コネクタ部より外部へ縦横に異なる長さで突出した扁平部が設けられた特徴・構造があり、この構造を上手に利用することで、充電ケーブルの先端部をスタンド内部に内挿した後に所定の位置に保持することができ、ひいては、この先端部に連結された携帯端末を保持することができることに想到し、本考案を完成するに至った。
【００１２】
すなわち、本考案は、例えば、次の構成・特徴を採用するものである。
（態様１）
第１・第２穴とケーブル導出路とが設けられた本体を有した携帯通信端末用の充電スタンドであって、
第１・第２穴は、充電ケーブルのコネクタ部と該コネクタ部より外部へ突出した扁平部とを通過可能となるよう該扁平部の外形に対応した内径を有し、
第１・第２穴は、前記本体の上部に設けられた端末載置用凹部内から開口し、
第１穴は前記本体の下部まで垂直に延びる貫通穴であり、
前記ケーブル導出路は、前記本体の前記下部において第１穴に接続する第１端と、前記本体の外側壁に設けられた導出口に接続した第２端とを備え、
第２穴は、第１穴の垂直な軸を中心に回転し、前記本体の平面視で第２穴が第１穴に対して交差するよう設けられた不貫通穴であり、かつ、
第２穴は、前記扁平部を前記本体の上方から第２穴に挿入した際に前記扁平部の底部が第２穴の底面に当接し、前記コネクタ部が前記凹部から垂直上方に延びるように該扁平部を保持することを特徴とする充電スタンド。
（態様２）
第２穴が設けられた上半部と、第１穴とケーブル導出路とが設けられた下半部とを別々に有した本体を備えた携帯通信端末用の充電スタンドであって、
第１・第２穴は、充電ケーブルのコネクタ部と該コネクタ部より外部へ突出した扁平部とを挿通可能となるよう該扁平部の外形に対応した内径を有し、
第２穴は、前記上半部の上部に設けられた端末載置用凹部内から開口し、前記上半部の下部まで垂直に延びる貫通穴であり、
第１穴は、前記下半部の上部から開口し、前記下半部に下部まで垂直に延びる貫通穴であり、
前記ケーブル導出路は、前記下半部の前記下部において第１穴に接続する第１端と、前記下半部の外側壁に設けられた導出口に接続した第２端とを備え、
第１穴が、第２穴の垂直な軸を中心に回転し、前記本体の平面視で第１穴が第２穴に対して交差するよう、前記下半部が前記上半部に対して一時的に回動・保持可能な回動係合部が前記本体に形成されており、かつ、
第２穴は、第１穴が第２穴に交差した状態で前記扁平部を第２穴に挿入した際に前記扁平部の底部が前記下半部の上部に当接し、前記コネクタ部が前記凹部から垂直上方に延びるように該扁平部を保持することを特徴とする充電スタンド。
（態様３）
前記本体には、前記本体の上部の中央から前記外側壁まで延びて開口した切欠き部を備え、該切欠き部は、前記携帯通信端末が前記凹部に載置されて音楽再生を行った際にスピーカー音の拡声・増強を行うことを特徴とする態様１又は２に記載の充電スタンド。
（態様４）
前記切欠き部は、前記凹部の第１端の下側において切欠き開始部を有し、前記垂直な軸を中心に周方向に徐々に切欠き幅を広げながら延び、前記凹部の第２端の下側を通過した後に外側壁にて開口することを特徴とする態様１〜３のいずれかに記載の充電スタンド。
（態様５）
前記本体の上部に載置可能な蓋体をさらに備え、かつ、
前記蓋体には、前記凹部の一部を形成する細長貫通穴と、少なくとも１つ以上の拡声口とが設けられていることを特徴とする態様１〜４のいずれかに記載の充電スタンド。
【考案の効果】
【００１３】
本考案によれば、上述の構造の第１・第２穴を有することから、携帯端末を立設保持しながら充電可能にするとともに、充電ケーブルの先端部分の大半をスタンド内に収容し、コネクタ部だけ露出させることができる。これにより、充電ケーブルの不慮の脱落を未然に防止できる充電スタンドを提供することができる。
【００１４】
本考案の更に好適な態様によれば、携帯端末を従来のスタンドで立設保持させる際に、通常、端末のスピーカー口が接地面で塞がれがちになる本体箇所に、上記構造の切欠き部等を設けているために、スピーカー音の拡声に適し、音響効果にも優れたスタンドを提供することができる。
【図面の簡単な説明】
【００１５】
【図１】実施例１に係る充電スタンド１０Ａを説明した斜視図及び断面図である。
【図２】実施例１に係る充電スタンド１０Ａを説明した平面図及び底面図である。
【図３】実施例２に係る充電スタンド１０Ｂを説明した斜視図、分解斜視図及び断面図である。
【図４】実施例３に係る充電スタンド１０Ｃを説明した分解斜視図及び斜視図である。
【図５】実施例３に係る本体４の平面図、及び充電スタンド１０Ｃの底面を示す斜視図である。
【考案を実施するための形態】
【００１６】
以下、本考案を図面に示す実施例に基づき説明するが、本考案は、下記の具体的な実施例に何等限定されるものではない。なお、各図において同一又は対応する要素には同一符号を用いる。
【実施例１】
【００１７】
図１（ａ）は、本考案の実施例１に係る充電スタンド１０（１０Ａ）の斜視図を示す。この充電スタンド１０Ａは、充電ケーブル３０を介して、携帯通信端末２０（例えば、図示のスマートフォン）の充電に供される。なお、図１（ｂ）は、図１（ａ）及び図２（ａ）のＡ−Ａ線で破断した断面図を示す。また、図２（ａ）及び図２（ｂ）は、充電スタンド１０Ａ（つまり、本体４）の平面図及び底面図を示す。
【００１８】
図１（ａ）に示すように、実施例１の充電スタンド１０Ａは、第１・第２穴１，２とケーブル導出路３とが設けられた本体４を有する。第１・第２穴１，２は、充電ケーブル３０のコネクタ部３１と扁平部３２とを通過可能となるよう該扁平部３２の外形に対応した内径を有する（つまり、図２（ａ）や図２（ｂ）のように平面視で楕円形のような長穴を成す）ことに留意されたい。さらに、第１・第２穴１，２は、本体４の上部４ａに設けられた端末載置用凹部５内から開口している。なお、充電ケーブル３０の扁平部３２は、通常、該コネクタ部３１より下方に形成され、水平方向外側へ突出している。この扁平部３２には、その上方側に、水平方向外側に突出した肩部３２ａが設けられるとともに、その下方側に、水平方向外側に突出した底部３２ｂが設けられる。
【００１９】
ここで、第１穴１は、図１（ｂ）に示すように、本体４の下部４ｂまで垂直に延びる貫通穴である。また、ケーブル導出路３は、本体４の上述の下部４ｂにおいて第１穴１に接続する第１端３ａと、本体４の外側壁４ｃに設けられた導出口３ｃに接続した第２端３ｂとを備える（ケーブル導出路３の構造自体は同様の実施例２に係る図３（ｃ）や実施例３に係る図５（ｂ）も参照されたい）。ケーブル導出路３は、充電ケーブル３０のケーブル線３３の一端側（端末側）を第１・第２穴１，２に案内するとともに、ケーブル線３３の他端側（コンセント側）を、導出口３ｃを介して本体４の外部（例えば、図示しない建物壁にあるコンセント）へ向けて案内する。また、ケーブル導出路３には、ケーブル線３３を通した際に、これを把持するためのケーブル留め３ｄが設けれられることが好ましい。図示の例では、ケーブル留め３ｄは、ケーブル導出路３の両側から中央に向けて張り出すように構成されており、ケーブル導出路３においてケーブル線３３を部分的に挟持可能である。
【００２０】
第２穴２は、図２（ａ）に示すように、第１穴１の垂直な軸Ｏを中心に円周方向に回転し、本体４の平面視で第２穴２が第１穴１に対して交差するように設けられた不貫通穴（底面２ｂを持つ有底穴）である。なお、図示の例では、第２穴２が第１穴１に対して円周方向に９０°回転させた位置にある。さらに、第２穴２は、扁平部３２を本体４の上方から第２穴２に挿入した際に扁平部３２の底部３２ｂが第２穴２の底面２ｂに当接し、コネクタ部３１が端末載置用凹部５から垂直上方に延びるように該扁平部３２を保持することを特徴とする（図１（ｂ）の破線で示した充電ケーブル３０も参照）。より好ましくは、扁平部３２の肩部３２ａが第２穴２に上面２ａに位置するまで第２穴２の深さＬを有している。
【００２１】
（実施例１の充電スタンドの製造方法）
実施例１の充電スタンド１０Ａの製造方法についても説明する。本体４として、塊状（例えば、円柱状や角柱状）の金属（例えば、アルミニウム）を用意する。この本体４に対して切削加工やドリル加工等の機械的加工を施すことで、上述の第１・第２穴１，２、ケーブル導出路３、及び端末載置用凹部５等の構造を形成することができる。後述の実施例２，３に係る充電スタンド１０Ｂ，１０Ｃについても、同様の加工方法によって製造することが可能である。
【００２２】
（実施例１の充電スタンドの使用方法）
先ず、充電ケーブル３０の扁平部３２を手に取り、これを本体４の下部４ｂ側の第１穴１から挿通し、本体４を完全に通過させ、本体１の上方の位置まで移動させる（図１（ａ）及び（ｂ）を参照）。この挿通の際、最も外側に張り出した扁平部３２の外形（輪郭）は、第１穴１の内径（穴形状）に対応して（若干大きく）形成されているため、第１穴１の向きに扁平部３２の向きを合せたうえで扁平部３２を上昇させていけば、充電ケーブル３０の先端部（コネクタ部３１及び扁平部３２）は、本体４（の下部４ｂから上部４ａまで）を通り抜け可能となる。本体４の通過後、扁平部３２より外径が小さいケーブル線３３の部分が、第１・第２穴１，２の内部に移動自在に残ったままとなる。
【００２３】
第１穴１を挿通後、上方にある充電ケーブル３０の先端部を、第２穴２の交差角に対応した角度（図示では９０°）だけ、軸Ｏを中心に回転させる。そして、扁平部３２を、本体４の上方から下方に向けて移動させて、今度は第２穴２の内部に挿入していく。しかしながら、第２穴２は、第１穴１とは異なり不貫通穴（有底穴）であるため、扁平部３２の底部３２ｂが第２穴２の底面２ｂに当接して着座する。なお、第２穴２の深さＤ（図１（ｂ）を参照）は、上述したように、扁平部３２の長さと略同じに調整してあることが望ましい。これにより、第２穴２は、コネクタ部３１（だけ）が端末載置用凹部５から垂直上方に延びた（露出した）状態で該扁平部３２を保持することが可能となる。
【００２４】
充電ケーブル３０の先端部を上述のように本体４内に組み込んで固定し、充電ケーブル３０の他端（コンセント側、図示せず）を建物壁のコンセント（図示せず）に差し込んだ状態にしておけば、携帯通信端末２０の所有者は、いつでも自由に端末２０を端末載置用凹部５に載置しつつ、コネクタ部３１を該端末２０の充電ポート（図示せず）に差し込んで充電を行うことができる。
【実施例２】
【００２５】
次に、図３の各図を参照しながら、別の実施例（実施例２）に係る充電スタンド１０（１０Ｂ）について説明する。なお、実施例２は、実施例１と共通する（又は似たような）構造を有するため、異なる構造のみ詳しく説明し、共通する構造の説明は省略する。
【００２６】
実施例２では、本体４が上下に分割されたピースを有することを特徴とする。具体的には、本体４は、第２穴２が設けられた上半部４１と、第１穴１とケーブル導出路３とが設けられた下半部４２とを別々に有する。図３（ａ）は、上半部４１と下半部４２とを組付けた状態の充電スタンド１０Ｂを示した斜視図であるに対し、図３（ｂ）は、上半部４１と下半部４２とを分離した状態の充電スタンド１０Ｂを示した分解斜視図である。また、図３（ｃ）は、図３（ａ）のＢ−Ｂ線で破断した状態の充電スタンド１０Ｂを示した断面図である。
【００２７】
第１・第２穴１，２は、実施例１と同様に、充電ケーブル３０の扁平部３２を挿通可能となるよう該扁平部３２の外形に対応した内径（略楕円形を成す長穴形状）を有する。ただし、図３（ｃ）に示すように、第２穴２は、上半部４１の上部４１ａに設けられた端末載置用凹部５内から開口し、該上半部４１の下部４１ｂまで垂直に延びる貫通穴である。また、実施例２では、第１穴１は、下半部４２の上部４２ａから開口し、該下半部４２の下部４２ｂまで垂直に延びる貫通穴である。つまり、実施例１の第１・第２穴１，２は、実施例１の場合と異なり、どちらも貫通穴である。また、ケーブル導出路３は、図３（ｃ）に示すように、下半部４２の下部４２ｂにおいて第１穴１に接続する第１端３ａと、下半部４２の外側壁４２ｃに設けられた導出口３ｃに接続した第２端３ｂとを備える。
【００２８】
第２穴２が、図３（ｂ）に示すように、第１穴１の垂直な軸Ｏを中心に円周方向に回転し、本体４の平面視で第２穴２が第１穴１に対して交差するよう、上半部４１が下半部４２に対して一時的に回動・保持可能な回動係合部６が本体４に形成されていることが好ましい。この回動係合部６の具体例として、図３（ｃ）に示す例では、下半部４２の上部４２ａに軸Ｏを中心に環状溝６ｂが設けられ、上半部４１の下部４１ｂに軸Ｏを中心に環状凸部６ａが設けられている。上半部４１を下半部４２に載置した際には、環状凸部６ａが環状溝６ｂ内に回転自在に篏合する。
【００２９】
上半部４１を下半部４２に対して軸Ｏを中心に（例えば、図３（ｂ）のように９０°）回転させると、第１穴１は、第２穴２が第１穴１に交差した状態で配置される。その交差状態で、扁平部３２を上半部４１の上方から第１穴１に挿入した際に該扁平部３２の底部３２ｂが下半部４２の上面４２ａに当接し、コネクタ部３１が端末載置用凹部５から垂直上方に延びるように該扁平部３２を保持することができるようになる。
【００３０】
実施例２も実施例１と同様に、充電ケーブル３０の扁平部３２を本体４の下部４ｂ（下半部４２の下部４２ｂの第１穴１）から挿入することができるが、実施例１とは異なり、この扁平部３２を本体４（上半部４１）より上方に通り抜けるまで移動させる必要は無い。扁平部３２が下半部４２の第１穴１を通り抜け、上半部４１の第２穴２内を進入した際に、回動係合部６を利用して、上半部４１を下半部４２に対して軸Ｏを中心に回転させれば、第１穴１とともにこれに挿入された扁平部３２が、第２穴２に対して交差した状態が形成される。そうすると、扁平部３２の底部３２ｂが、下半部４２の上部４２ａの一部に当接・着座するため、コネクタ部３２（だけ）が上半部４１の上部４１ａより上方に露出された形で充電ケーブル３０の扁平部３２が固定されるようになる。この効果を高めるために、上半部４１の厚みＴ（つまり、第２穴２の深さ）が、扁平部３２の長さとほぼ同等となるよう設定されていることが好ましい。
【００３１】
第１・第２穴１，２を上述の交差に状態にしておけば、実施例１と同様に、端末２０の所有者は、この充電スタンド１０Ｂにいつでも自由に端末３を載置したり、充電したりすることができるようになる。また、第１穴１を第２穴２に整合する位置まで上半部４１を下半部４２に対して更に回転（又は逆回転）させれば、長穴形状の第１・第２穴１，２が互いに整合し、扁平部３２の底部３２ｂと下半部４２の上部４２ａとの当接状態は解消されるため、扁平部３２を含めた充電ケーブル３０の先端部を本体４から容易に抜き出すことができるようになる。
【実施例３】
【００３２】
次に、別の実施例（実施例３）に係る充電スタンド１０（１０Ｃ）について説明する。実施例３の充電スタンド１０Ｃは、端末２０の充電のみならず、端末２０での音楽再生時に発生した音声・音量の拡声・増強の目的で供される。ここで、図４（ａ）は、本体４から後述の蓋体８を取り外した状態の充電スタンド１０Ｃを示した分解斜視図である。図４（ｂ）は、蓋体８を本体４に組付けた状態の充電スタンド１０Ｃを示した斜視図である。また、図５（ａ）は実施例３に係る本体４の平面図であり、図５（ｂ）は充電スタンド１０Ｃの底面を示す斜視図である。
【００３３】
実施例３の本体４には、該本体４の上部４ａの中央から外側壁４ｃまで延びて開口した切欠き部７を備え、該切欠き部７は、前記携帯通信端末２０が端末載置用凹部５に載置されて音楽再生を行った際にスピーカー音の拡声・増強を行うものである。
【００３４】
この切欠き部７は、図５（ａ）に示すように、端末載置用凹部５の第１端５ａの下側において切欠き開始部７ａを有し、垂直軸Ｏを中心に周方向に徐々に切欠き幅Ｗを広げながら延び、端末載置用凹部５の第２端の下側を通過した後に外側壁４ｃにて開口すること（切欠き開口部７ｂ）が好ましい。これにより、スピーカー音の拡声・増強の効果や音響の指向性を一層高めることができる。
【００３５】
さらに、実施例３の充電スタンド１０Ｃは、本体４の上部４ａに載置可能な蓋体８をさらに備えることが好ましい。ここで、蓋体８には、端末載置用凹部５の一部を形成する細長貫通穴８ｄと、少なくとも１つ以上の拡声口８ｅとが設けられていることが好ましい。図示の例では、細長貫通穴８ｄは蓋体８の上部８ａに形成され、同一形状の貫通穴を成す拡声口８ｅが複数、蓋体８の外周壁８ｃに設けられる。これにより、スピーカー音の拡声・増強の効果や音響の指向性を一層高めることができるだけでなく、切欠き部７を蓋体８によって隠すことができるため、充電スタンドがよりシンプルな外観を呈するようになる。
【００３６】
さらに、蓋体８の肉厚ｔ（図４（ａ）を参照）に合せて本体４の外側壁４ｃの外周縁を切除した段差９を本体４に設けることで、蓋体８と本体４とが同一の外形を有するようになる。つまり、蓋体８が本体４に組付けられた際に、蓋体４の外周縁の下部８ｂが段差９に着座し、製品全体としての一体感を持った外観を呈するようになる。
【産業上の利用可能性】
【００３７】
本考案によれば、従来の同種の製品に比較して、携帯端末を立設保持しながら充電可能にするとともに、充電ケーブルの先端部分の大半をスタンド内に収容し、コネクタ部だけ露出させることができるため、充電ケーブルの不慮の脱落を未然に防止できる充電スタンドを提供することができる。
【００３８】
さらに、本考案の好適な態様によれば、携帯端末を従来のスタンドで立設保持させる際に、通常、端末のスピーカー口が接地面で塞がれがちになる本体箇所に、上記構造の切欠き部等を設けているために、スピーカー音の拡声に適し、音響効果にも優れたスタンドを提供することができる。このように、本考案は、産業上の利用価値及び産業上の利用可能性が非常に高い。
【符号の説明】
【００３９】
１    第１穴
２    第２穴
２ａ，２ｂ    第２穴の上面，底面
３    ケーブル導出路
３ａ，３ｂ，３ｃ，３ｄ    ケーブル導出路の第１端，第２端，導出口，ケーブル留め
４    本体
４ａ，４ｂ，４ｃ    本体の上部，下部，外側壁
５    端末載置用凹部
５ａ    端末載置用凹部の一端
６（６ａ，６ｂ）    回動係合部（環状凸部，環状溝）
７    切欠き部
７ａ，７ｂ    切欠き部の切欠き開始部，切欠き開口部
８    蓋体
８ａ，８ｂ，８ｃ，８ｄ，８ｅ    蓋体の上部，下部，外側壁，細長貫通穴，拡声口
９    段差
１０（１０Ａ，１０Ｂ，１０Ｃ）    充電スタンド
２０    携帯通信端末
３０    充電ケーブル
３１    コネクタ部
３２    扁平部
３２ａ，３２ｂ    扁平部の肩部，底部
３３    ケーブル線
４１    上半部
４１ａ，４１ｂ，４１ｃ    上半部の上部，下部，外側壁
４２    下半部
４２ａ，４２ｂ，４２ｃ    下半部の上部，下部，外側壁
Ｄ    第２穴の深さ
Ｏ    軸
Ｔ    上半部の厚さ
ｔ    蓋体の肉厚
Ｗ    切欠き幅
【図１】
0003215184.tif 000003
【図２】
0003215184.tif 000004
【図３】
0003215184.tif 000005
【図４】
0003215184.tif 000006
【図５】
0003215184.tif 000007